(57)【要約】【課題】窓を通して天空を見るような自然な感覚を与えることができ、かつ、放熱性に優れる照明装置を提供する。【解決手段】照明装置１は、天空を模した光を発する照明装置１であって、基板２２と、基板２２に二次元状に配列される複数の発光素子２３とを有する発光モジュール２０と、発光モジュール２０を収容し、各々の発光素子２３が発する光が通過する開口部３５を有する光反射部材３０とを備える。また、光反射部材３０は、発光モジュール２０の周囲を囲み、基板２２に対して立ち上るように配置され、複数の発光素子２３の虚像が映し出される側壁部３１を有する。また、側壁部３１には、基板２２に対して平行な方向に配列される複数の第２貫通孔３２が形成される。そして、複数の第２貫通孔３２の配列は、発光モジュール２０から遠ざかる方向に複数配列される。【選択図】図３
2020115429.tif 000002
【特許請求の範囲】
【請求項１】
天空を模した光を発する照明装置であって、
基板と、前記基板に二次元状に配列される複数の発光素子とを有する発光モジュールと、
前記発光モジュールを収容し、前記複数の発光素子が発する光が通過する開口部を有するケースとを備え、
前記ケースは、前記発光モジュールの周囲を囲み、前記基板に対して立ち上るように配置され、前記複数の発光素子の虚像が映し出される側壁部を有し、
前記側壁部には、前記基板に対して平行な方向に配列される複数の貫通孔が形成され、
前記複数の貫通孔の前記配列は、前記発光モジュールから遠ざかる方向に複数配列される
照明装置。
【請求項２】
前記側壁部には、前記配列ごとに、前記複数の貫通孔が等間隔に形成され、
前記複数の発光素子は、前記基板に等間隔に配列される
請求項１に記載の照明装置。
【請求項３】
前記平行な方向における互いに隣り合う２つの貫通孔の間隔は、前記発光モジュールから遠ざかる方向に向かって大きくなる
請求項２に記載の照明装置。
【請求項４】
前記平行な方向における互いに隣り合う２つの貫通孔の間隔は、複数の前記配列に含まれる基準列に対して、整数倍ごとに大きくなる
請求項３に記載の照明装置。
【請求項５】
前記複数の貫通孔によって構成される複数の前記配列には、互いに隣り合う第１列と第２列とが含まれ、
前記第２列は、前記平行な方向に互いに隣り合う２つの発光素子の間隔の２分の１、前記第１列に対して、前記平行な方向にズレる
請求項２〜４のいずれか１項に記載の照明装置。
【請求項６】
前記第１列は、複数の前記配列のうち前記発光モジュールに最も近い位置に形成され、
前記第１列における互いに隣り合う２つの貫通孔の間隔は、前記第２列における互いに隣り合う２つの貫通孔の間隔と同一である
請求項５に記載の照明装置。
【請求項７】
前記平行な方向における互いに隣り合う２つの発光素子の間隔は、前記第１列における互いに隣り合う２つの貫通孔の間隔と同一である
請求項６に記載の照明装置。
【請求項８】
前記複数の貫通孔のそれぞれの開口径は、前記平行な方向において互いに隣り合う２つの発光素子の間隔の２分の１以下である
請求項２〜７のいずれか１項に記載の照明装置。
【請求項９】
前記開口部とは反対側の前記側壁部の端縁は、前記複数の発光素子の発光面を基準にして、互いに隣り合う２つの発光素子の間隔の２分の１以上の高さである
請求項２〜８のいずれか１項に記載の照明装置。
【請求項１０】
前記基板の端縁に配列される前記発光素子と前記側壁部との距離は、互いに隣り合う２つの発光素子の間隔の２分の１である
請求項２〜９のいずれか１項に記載の照明装置。
【請求項１１】
前記複数の貫通孔によって構成される複数の前記配列は、互いに隣り合う２つの配列の間隔が前記発光モジュールから遠ざかる方向に向かって大きくなる
請求項１〜１０のいずれか１項に記載の照明装置。
【請求項１２】
さらに、透光性及び光拡散性を有し、前記開口部を覆うように配置される拡散カバーを備える
請求項１〜１１のいずれか１項に記載の照明装置。
【請求項１３】
前記照明装置は、造営材に取り付けられ、
前記拡散カバーは、前記造営材の設置面と面一となる位置、又は、面一となる位置よりも奥側に配置される
請求項１２に記載の照明装置。
【発明の詳細な説明】
【技術分野】
【０００１】
本開示は、照明装置に関する。
【背景技術】
【０００２】
従来の照明装置として、特許文献１には、ＬＥＤと、実装面にＬＥＤを実装する基板とを有するＬＥＤモジュールと、基板の裏面と密着する放熱板とを備える発光装置が開示されている。放熱板には、ＬＥＤモジュールに対向する位置に開口が形成される。
【先行技術文献】
【特許文献】
【０００３】
【特許文献１】特許第６００２８４３号公報
【発明の概要】
【発明が解決しようとする課題】
【０００４】
本開示は、窓を通して天空を見るような自然な感覚を与えることができ、かつ、放熱性に優れた照明装置を提供することを目的とする。
【課題を解決するための手段】
【０００５】
上記目的を達成するために、本開示に係る照明装置の一態様は、天空を模した光を発する照明装置であって、基板と、前記基板に二次元状に配列される複数の発光素子とを有する発光モジュールと、前記発光モジュールを収容し、前記複数の発光素子が発する光が通過する開口部を有するケースとを備え、前記ケースは、前記発光モジュールの周囲を囲み、前記基板に対して立ち上るように配置され、前記複数の発光素子の虚像が映し出される側壁部を有し、前記側壁部には、前記基板に対して平行な方向に配列される複数の貫通孔が形成され、前記複数の貫通孔の前記配列は、前記発光モジュールから遠ざかる方向に複数配列される。
【発明の効果】
【０００６】
本開示に係る照明装置では、窓を通して天空を見るような自然な感覚を与えることができ、かつ、放熱性に優れる。
【図面の簡単な説明】
【０００７】
【図１】図１は、実施の形態に係る照明装置の外観を例示する斜視図である。
【図２】図２は、実施の形態に係る照明装置を例示した分解斜視図である。
【図３】図３は、図１のＩＩＩ−ＩＩＩ線における照明装置の断面を例示する断面図である。
【図４】図４は、照明装置の断面における光反射部材と発光素子とを同一平面に展開した展開図である。
【図５】図５は、実施の形態に係る照明装置における発光素子と光反射部材との関係を模式的に説明する断面図である。
【図６】図６は、実施の形態に係る照明装置を造営材に設置した場合の照明装置が発する光の見え方に関する説明図である。
【図７】図７は、変化例に係る照明装置の外観を例示する斜視図である。
【発明を実施するための形態】
【０００８】
以下、本開示の実施の形態について、図面を参照しながら説明する。なお、以下に説明する実施の形態は、いずれも本開示の一具体例を示すものである。したがって、以下の実施の形態で示される、数値、形状、材料、構成要素、構成要素の配置位置及び接続形態、並びに、ステップ、ステップの順序などは、一例であって本開示を限定する主旨ではない。よって、以下の実施の形態における構成要素のうち、本開示の最上位概念を示す独立請求項に記載されていない構成要素については、任意の構成要素として説明される。
【０００９】
また、「略＊＊」との記載は、「略矩形状」を例に挙げて説明すると、完全な矩形状はもとより、実質的に矩形状と認められるものを含み、例えば数％程度の誤差を含むことも意味する。
【００１０】
各図は、模式図であり、必ずしも厳密に図示されてはいない。したがって、例えば、各図において縮尺等は必ずしも一致しない。また、各図において、実質的に同一の構成に対しては同一の符号を付しており、重複する説明は省略又は簡略化する。
【００１１】
照明装置の長手方向をＸ軸方向と規定し、例えば光反射部材及び光拡散板の並びをＺ軸方向と規定し、Ｘ軸方向及びＺ軸方向と直交する方向をＹ軸方向と規定し、Ｘ、Ｙ、Ｚの各方向を表示する。図１に示す各方向は、図２以降に示す各方向に対応させて表示する。
【００１２】
以下、実施の形態に係る照明装置の構成について説明する。
【００１３】
（実施の形態）
図１は、実施の形態に係る照明装置１の外観を例示する斜視図である。
【００１４】
図１に示すように、本実施の形態に係る照明装置１は、天空を模した光を発することができ、ユーザに室内から窓を通して天空を見るような感覚を疑似体験させることが可能な照明装置である。例えば、照明装置１は、屋内に設置され、あたかも屋内の窓から、青空、白雲、曇り空、夕焼け空等といった自然の空を見るかのような、天空を模した光によって疑似的に演出する、つまり、自然の空の動きを模した映像を表示する。照明装置１は、この天空を模した映像の光によって周囲を照明することが可能である。照明装置１は、天井、壁等の造営材に設置され、本実施の形態では、天窓を模しており、天井に埋込設置される。
【００１５】
図２は、実施の形態に係る照明装置１を例示した分解斜視図である。図３は、図１のＩＩＩ−ＩＩＩ線における照明装置１の断面を例示する断面図である。
【００１６】
図１〜図３に示すように、照明装置１は、筐体１０と、発光モジュール２０と、光反射部材３０と、光拡散板４０と、枠体５０と、制御装置６０と、電源部７０とを備える。
【００１７】
筐体１０は、Ｚ軸マイナス方向側の面に、発光モジュール２０が発する光が通過するための開口部が形成された有底の収容体である。筐体１０は、発光モジュール２０、光反射部材３０、光拡散板４０、制御装置６０、及び、電源部７０を収容する。枠体５０以外は、造営材の設置面よりも奥側、つまり、造営材に埋め込まれる。なお、電源部７０は、筐体１０に収容されていなくてもよく、例えば筐体１０の外側に配置されていてもよい。
【００１８】
筐体１０の内部では、制御装置６０及び電源部７０と、発光モジュール２０と、光反射部材３０と、光拡散板４０と、枠体５０とがＺ軸プラス方向からＺ軸マイナス方向に向かってこの順で配置される。ここで、Ｚ軸プラス方向は天井の奥側であり、Ｚ軸マイナス方向は床面側である。
【００１９】
筐体１０には、内部の空気を外部に排出するための第１貫通孔１１が複数形成される。このような、第１貫通孔１１は、筐体１０の底部に形成されていてもよい。第１貫通孔１１は、筐体１０に収容される発光モジュール２０の周囲を囲む、側壁に形成される。複数の第１貫通孔１１は、発光モジュール２０、制御装置６０、及び、電源部７０等で熱せられた空気が通過して筐体１０の外部に流れる排熱用の流路となる。
【００２０】
筐体１０は、平面視で略矩形状である。なお、筐体１０の形状は、略矩形状に限らず、略円形状、略多角形状、略半円状等の形状でもよく、形状は特に限定されない。
【００２１】
筐体１０は、例えば金属材料又は高い熱伝導性を有する非金属材料によって構成される。高い熱伝導性を有する非金属材料とは、例えば、熱伝導率が高い樹脂などである。筐体１０として熱伝導性の高い材料を用いることで、発光モジュール２０が発する熱を、筐体１０を介して外部に放熱する。
【００２２】
発光モジュール２０は、光拡散板４０に映像を形成するための光を出射するモジュールである。発光モジュール２０は、赤色光、青色光、黄色光、橙色光等の有彩色の光、及び白色光といった無彩色の光を出射する。照明装置１は、有彩色の光に限定されず、黒体軌跡に沿った所定の色温度の範囲の光を出射する。また、発光モジュール２０は、Ｘ軸方向及びＹ軸方向で規定される平面に対して略平行に保持される。本実施の形態では、１つの発光モジュール２０を例示しているが、発光モジュール２０を複数枚合わせてもよく、本実施の形態には限定されない。なお、照明装置１に発光モジュール２０を複数搭載する場合、電源部７０は、発光モジュール２０に一対一で対応するように、照明装置１に複数搭載されてもよい。
【００２３】
発光モジュール２０は、基板２２と、基板２２に実装された複数の発光素子２３とを有する。
【００２４】
基板２２は、複数の発光素子２３を実装するためのプリント配線基板である。基板２２としては、例えば、樹脂をベースとする樹脂基板、金属をベースとするメタルベース基板、セラミックからなるセラミック基板等を用いてもよい。基板２２は、筐体１０に対応する形状であり、本実施の形態では、略矩形状に形成される。
【００２５】
発光素子２３は、Ｚ軸マイナス方向に向かって光を出射する姿勢で、基板２２のＺ軸マイナス方向側の実装面に複数実装される。例えば、複数の発光素子２３は、基板２２に二次元状に配列される。例えば、複数の発光素子２３は、基板２２において、Ｘ軸方向及びＹ軸方向に等間隔に配列される。
【００２６】
発光素子２３は、ＬＥＤ（Ｌｉｇｈｔ  Ｅｍｉｔｔｉｎｇ  Ｄｉｏｄｅ）素子で構成される。本実施の形態では、発光素子２３は、青色光、緑色光及び赤色光を発光するＲＧＢタイプのＬＥＤ素子である。なお、ＬＥＤ素子は、ＳＭＤ（Ｓｕｒｆａｃｅ  Ｍｏｕｎｔ  Ｄｅｖｉｃｅ）型のＬＥＤ素子であってもよいし、ＣＯＢ（Ｃｈｉｐ  Ｏｎ  Ｂｏａｒｄ）型の発光素子２３であってもよい。発光素子２３は、ＲＧＢ３色に限られず、ＲＧＢＷ４色であってもよいし、ＢＷ２色（青白２色）であってもよい。
【００２７】
また、基板２２には、制御装置６０からの制御コマンドを伝送するための配線である図示しない信号線、及び電源部７０からの電力を供給するための配線である図示しない電力線が設けられる。例えば、信号線及び電力線は、複数の発光素子２３のそれぞれを直列に接続する。複数の発光素子２３のそれぞれは、電力線を介して電源部７０から電力の供給を受け、信号線からの制御コマンドに基づいて所定の光を発する。本実施の形態では、発光素子２３は、ＲＧＢタイプの素子であるため、制御装置６０によって青色光、緑色光及び赤色光の発光が制御されることで様々な色の光を出射する。すなわち、制御装置６０によって各々の発光素子２３の発光が制御されることで、発光モジュール２０は、例えば、青空、白雲、曇り空、夕焼け空等の映像を示す光を出射する。
【００２８】
光反射部材３０は、無底筒状のケースであり、光拡散板４０と電源部７０及び制御装置６０との間に配置される。光反射部材３０は、発光モジュール２０を収容し、各々の発光素子２３が発する光が通過する開口部３５を有する。光反射部材３０は、発光モジュール２０の周囲を囲み、基板２２に対して立ち上るように配置され、複数の発光素子２３の虚像が映し出される側壁部３１をする。本実施の形態では、側壁部３１は、基板２２の形状に対応して発光モジュール２０の周囲を囲む４つの板で構成される。側壁部３１の数は、発光モジュール２０の基板２２の形状に依存するため、４つには限定されず、３つ以下でもよく、５つ以上でもよい。
【００２９】
側壁部３１には、基板２２に対して平行な方向に配列される複数の第２貫通孔３２が形成される。側壁部３１には、配列ごとに、複数の第２貫通孔３２が等間隔に形成される。複数の第２貫通孔３２の配列は、発光モジュール２０から遠ざかる方向に複数配列される。つまり、側壁部３１には、複数の第２貫通孔３２のＸ軸方向の並び又はＹ軸方向の並びで構成された列が形成され、この列が発光モジュール２０から遠ざかる方向に複数配列される。遠ざかる方向は、光反射部材３０の開口部３５（光拡散板４０）に近づく方向である。複数の第２貫通孔３２は、発光モジュール２０で熱せられた空気が通過して筐体１０の外部に流れる排熱用の流路となる。本実施の形態では、４つの列を例示するが、列の数は４つに限定されず、３つ以下でもよく、５つ以上でもよい。列の数は、照明装置１の大きさ、発光モジュール２０の発光素子２３の数等に依存する。なお、平行な方向とは、略平行な方向という意味であり、以下、略平行な方向という。第２貫通孔３２は、貫通孔の一例である。
【００３０】
図４は、照明装置１の断面における光反射部材３０と発光素子２３とを同一平面に展開した展開図である。図４では、基板２２と略平行な方向における互いに隣り合う２つの第２貫通孔３２の間隔（ピッチ間隔ともいわれ、以下、第１間隔という）、略平行な方向に互いに隣り合う２つの発光素子２３の間隔（ピッチ間隔ともいわれ、以下、第２間隔という）、複数の第２貫通孔３２によって構成される複数の配列における互いに隣り合う２つの配列の間隔（ピッチ間隔ともいわれ、以下、第３間隔という）について説明する。ここで、互いに隣り合う２つの第２貫通孔３２の間隔は、一方の第２貫通孔３２の開口面と直交する中心線と、他方の第２貫通孔３２の開口面と直交する中心線との距離である。また、互いに隣り合う２つの発光素子２３の間隔は、一方の発光素子２３の発光面と直交する中心線と、他方の発光素子２３の発光面と直交する中心線との距離である。
【００３１】
本実施の形態では、第１間隔は第２間隔以上である。本実施の形態では、第２間隔は、例えば、８ｍｍ、１０ｍｍ等である。
【００３２】
図４に示すように、側壁部３１において、第１間隔は、発光モジュール２０から遠ざかる方向に向かって大きくなる。第１間隔が発光モジュール２０から遠ざかる方向に向かって大きくなるとは、発光モジュール２０から遠ざかる方向に向かって次第に大きくなる、及び、複数の第２貫通孔３２で構成される複数の列のうちの一部が発光モジュール２０から遠ざかる方向に向かって次第に大きくなることを含む。このため、側壁部３１では、発光モジュール２０に近い側で形成されている第２貫通孔３２の数の密度は、発光モジュール２０に遠い側（光拡散板４０側）で形成されている第２貫通孔３２の数の密度よりも大きい。図４では、第１間隔は、第１列ではＬ０、第２列でもＬ０、第３列では２Ｌ０、第４列では３Ｌ０である。第１列の第１間隔Ｌ０は、第２列の第１間隔Ｌ０と同一である。ここでいう同一とは、略同一という意味であり、以下略同一という。
【００３３】
本実施の形態では、複数の第２貫通孔３２によって構成される複数の配列には、発光モジュール２０に最も近い第１列と、第１列の次に発光モジュール２０に近い第２列と、第２列の次に発光モジュール２０に近い第３列と、第３列の次に発光モジュール２０に近い第４列とが含まれる。第１列及び第２列を構成する複数の第２貫通孔３２は、斜め格子状に配列される。つまり、第２列は、平行な方向に互いに隣り合う２つの発光素子２３の第２間隔Ｌ０の２分の１だけ、第１列に対して、略平行な方向にズレる。なお、第２間隔の２分の１とは、第２間隔の略２分の１という意味であり、以下、第２間隔の略２分の１という。
【００３４】
また、側壁部３１には、複数の配列に含まれる基準列に対して、第１間隔が整数倍ごとに大きくなる部分が形成される。つまり、第ｎ列目の第１間隔は、Ｌｎ＝ｎ×Ｌ０で示される。ｎは１以上の整数値である。また、基準列は、任意に設定した列であり、本実施の形態では第２列を基準列とする。この場合、第３列における第１間隔２Ｌ０は、第２列における第１間隔Ｌ０を整数倍（例えば２倍）した値であり、第４列における第１間隔３Ｌ０は、第２列における第１間隔Ｌ０を整数倍（例えば３倍）した値である。第１列における第１間隔Ｌ０は、互いに隣り合う２つの発光素子２３の第２間隔Ｌ０と同一である。ここでいう同一とは、略同一という意味であり、以下略同一という。なお、本実施の形態では、説明のために第４列まで登場させているが、あくまで一例であり、発光素子２３の列の数等によって第２貫通孔３２の列の数は変動する。
【００３５】
図５は、実施の形態に係る照明装置１における発光素子２３と光反射部材３０との関係を模式的に説明する断面図である。
【００３６】
図５に示すように、複数の第２貫通孔３２によって構成される複数の配列では、互いに隣り合う２つの配列の第３間隔が発光モジュール２０から遠ざかる方向に向かって大きくなる。ここで、発光素子２３を実装する基板２２の実装面の延長線と側壁部３１とが交差する線Ｖから第１列までの第３間隔をＬ１とし、第１列と第２列との第３間隔をＬ２とし、第２列と第３列との第３間隔をＬ３とし、第３列と第４列との第３間隔をＬ４とする。この場合、Ｌ０≦Ｌ１≦Ｌ２≦Ｌ３≦Ｌ４の関係がある。つまり、上記の各実施の形態において、例えば第３間隔Ｌ１、Ｌ２、Ｌ３、Ｌ４のうち、例えば互いに隣り合う２つの第３間隔が略同一となってもよい。
【００３７】
複数の第２貫通孔３２のそれぞれの開口径は、略平行な方向における第２間隔の略２分の１以下である。各々の第２貫通孔３２の開口径が第２間隔の略２分の１よりも大きければ、側壁部３１に映る発光素子２３と重なってしまうことがある。また、開口径が大きくなることで、第２貫通孔３２が影のように目立って見えてしまうことがある。このため、各々の第２貫通孔３２の開口径を第２間隔Ｌ０の略２分の１以下とする。本実施の形態では、第２貫通孔３２のそれぞれの開口径は、約４ｍｍである。また、各々の第２貫通孔３２の形状は、円形状であるが、これには限定されず、方形状、多角形状であってもよい。
【００３８】
また、本実施の形態では、複数の第２貫通孔３２のそれぞれの開口径は、発光モジュール２０から遠ざかるにつれて小さくしてもよい。つまり、側壁部３１では、発光モジュール２０に近いほど複数の第２貫通孔３２の総開口面積が大きく、発光モジュール２０から遠いほど第２貫通孔３２の総開口面積が小さい。
【００３９】
この場合の、具体的な照明装置１の見え方について図６を用いて説明する。図６は、実施の形態に係る照明装置１を造営材に設置した場合の照明装置１が発する光の見え方に関する説明図である。
【００４０】
図６では、照明装置１は、床面から２．５ｍの高さにある天井に埋込設置される。この照明装置１は、枠体の高さが８０ｍｍであり、枠体から発光モジュール２０までの高さが１２０ｍｍである。この照明装置１を床面に対して４５°の角度から見上げた場合に、図５のように、側壁部３１の各々の第２貫通孔３２と各々の発光素子２３が側壁部３１に映る位置とが重ならないように、発光モジュール２０の複数の発光素子２３が側壁部３１に映る。このため、側壁部３１の向こうにも複数の発光素子２３の虚像が見えることで、光反射部材３０を視たユーザは広がり（奥行き）を感じる。
【００４１】
また、ユーザが照明装置１から離れる方向に移動して照明装置１を見た場合（つまり、この照明装置１を床面に対して４５°よりも小さい角度で見た場合）に、発光モジュール２０は造営材の設置面に対して奥まった位置に配置されるため、発光モジュール２０は枠体によって遮られて視認することができなくなる。このように、発光モジュール２０を視認することができる限界の角度θが存在する。照明装置１を見る位置によっては、側壁部３１の各々の第２貫通孔３２と各々の発光素子２３が側壁部３１に映る位置とが重なって見える場合もあるが、この照明装置１では、発光モジュール２０及び光反射部材３０が、造営材の設置面に対して奥まった位置に配置されることで、これらが重なって見えてしまうことを抑制する。
【００４２】
また、ユーザが照明装置１に近づく方向に移動して照明装置１を見た場合（つまり、この照明装置１の床面に対して４５°よりも大きい角度で見た場合）、例えばユーザが照明装置１を見上げる位置であれば、側壁部３１に映る複数の発光素子２３の殆どが見えない状態又は見え難い状態である。このため、側壁部３１の各々の第２貫通孔３２と各々の発光素子２３が側壁部３１に映る位置とが重なっていたとしても、ユーザはさほど違和感を覚えない。
【００４３】
また、図５に示すように、側壁部３１は、基板２２の端縁に配列される複数の発光素子２３と側壁部３１との距離が、第２間隔の略２分の１となる位置に配置される。つまり、発光素子２３から線Ｖまでの距離が、第２間隔Ｌ０の略２分の１である。こうすることで、基板２２の端縁に配列される複数の発光素子２３が側壁部３１に映り込み、複数の第２貫通孔３２と重なって見え難い。ここで、発光素子２３と側壁部３１との距離は、発光素子２３の発光面と直交する中心線と側壁部３１との距離である。
【００４４】
また、発光モジュール２０の基板２２の端縁と側壁部３１との間には、光反射部材３０内部の空気が流れるような、隙間Ｓが形成される。隙間Ｓは、発光モジュール２０で熱せられた空気が通過して筐体１０の外部に流れる排熱用の流路となる。
【００４５】
また、側壁部３１では、開口部３５と反対側の側壁部３１の端縁は、各々の発光素子２３の発光面を基準にして、第２間隔Ｌ０の略２分の１以上の高さまで延びる。具体的には、各々の発光素子２３の発光面（Ｚ軸マイナス方向側の面）を延長したＸ−Ｙ平面と側壁部３１とが交差する線Ｗから第２間隔Ｌ０の略２分の１以上の高さまで延びる。
【００４６】
図１又は図２に示すように、光反射部材３０は、発光モジュール２０から出射された光を反射する性質を有する光学部材である。具体的には、光反射部材３０は、発光モジュール２０から光反射部材３０の内側面に入射した光を、光拡散板４０側に反射する。内側面は、光反射部材３０及び発光モジュール２０側の面である。
【００４７】
また、光反射部材３０は、光を拡散反射する鏡面の拡散反射面３１ａを有する。拡散反射面３１ａは、光反射部材３０の内側の面、つまり、光反射部材３０の発光モジュール２０側の面である。光反射部材３０は、例えばアルミニウムなどの金属材料で形成され、拡散反射面３１ａに鏡面処理又は光拡散処理が施される。例えば、鏡面処理とは、ポリッシング処理又はラッピング処理である。例えば、光拡散処理とは、アルマイト処理などの艶消し処理である。なお、光拡散処理は、少なくとも光反射部材３０の拡散反射面３１ａに施されていればよい。また、光反射部材３０の拡散反射面３１ａは、必ずしも鏡面処理又は光拡散処理が施されている必要はなく、鏡面処理又は光拡散処理を施す前の無地素材であってもよい。本実施の形態では、拡散反射面３１ａの光の反射率は、９５％以上である。拡散反射面３１ａに映る複数の発光素子２３の奥行き方向の配列の数は、数個程度である。
【００４８】
光拡散板４０は、透光性及び光拡散性を有し、Ｚ軸プラス方向側に光を出射する光学部材からなる拡散カバーである。光拡散板４０は、発光モジュール２０と対向するように、光反射部材３０の開口部３５を覆い、発光モジュール２０と略平行となる姿勢で光反射部材３０の内部に配置される。なお、光拡散板４０は、枠体５０と光反射部材３０とで挟まれ、光反射部材３０の開口部３５を覆うように配置されてもよく、枠体５０の開口部５１に配置されてもよい。
【００４９】
本実施の形態では、光拡散板４０は、造営材の設置面と面一となる位置よりも奥側に配置されるが、造営材の設置面と面一となる位置に配置されてもよい。
【００５０】
光拡散板４０は、光拡散板４０のＺ軸プラス方向側の面である光入射面から入射した光を透過及び拡散し、Ｚ軸マイナス方向側の面である光出射面から出射する。光拡散板４０の形状は、光反射部材３０の開口部３５に対応した形状であり、平面視で略矩形状の板材である。なお、光拡散板４０の形状は、略矩形状に限らず、略円形状、略多角形状、略半円状等の形状でもよく、形状は特に限定されない。
【００５１】
また、光拡散板４０は、例えば、透明なアクリル若しくはＰＥＴ（Ｐｏｌｙ  Ｅｔｈｙｌｅｎｅ  Ｔｅｒｅｐｈｔｈａｌａｔｅ）等の樹脂材料、又は、ガラスから構成された透明板に拡散加工が施されることで作製される。光拡散板４０が透明な材料から構成されることで、光拡散板４０は高い透過率を有する。
【００５２】
拡散加工の場合は、光拡散板４０の光入射面及び光出射面の少なくとも一方の面に拡散加工が施される。また、例えば、拡散加工は、微細なドット状の凹部からなるプリズムを形成するプリズム処理、シボ加工又は印刷等により行われてもよい。
【００５３】
例えば、拡散加工が施された光拡散板４０のヘイズ値は、例えば数十％程度である。ヘイズ値を高めることで、発光素子２３、及び、第２貫通孔３２が粒状に見えることを抑制する。また、ヘイズ値を高めすぎると映像の輪郭が見難くなるため、例えばヘイズ値を９０％以下にする等の映像の輪郭をある程度保てるヘイズ値にする必要がある。
【００５４】
枠体５０は、光拡散板４０を固定する枠状の部材である。枠体５０は、筐体１０のＺ軸マイナス方向側の端面に配置される。言い換えると、枠体５０は、筐体１０の開口部を囲むように、筐体１０に配置される。枠体５０には、発光モジュール２０が出射した光が通過する開口部５１が形成される。枠体５０は、筐体１０に対応する形状であり、本実施の形態では平面視で略矩形状である。なお、枠体５０の形状は、略矩形状に限らず、略円形状、略多角形状、略半円状等の形状でもよい。
【００５５】
枠体５０は、鍔部５０ａと、立ち上がり部５０ｂとを有する。鍔部５０ａは、天井の設置面と接触し、図示しないネジ等の固定部材等が挿通されることで天井に固定される。立ち上がり部５０ｂは、鍔部５０ａの内周である開口部５１の端部からＺ軸プラス方向に向かって略鉛直に立ち上がる壁である。なお、立ち上がり部５０ｂは、光拡散板４０をＺ軸マイナス方向から支持してもよい。なお、枠体５０は、筐体１０と一体的に形成されていてもよい。
【００５６】
制御装置６０は、発光モジュール２０を点灯、消灯、調光、及び調色等の動作を制御するコントローラであり、例えば筐体１０に収容される。例えば、制御装置６０は、発光モジュール２０を点灯させる制御コマンドを電源部７０に送信したり、点灯している発光モジュール２０を消灯させる制御コマンドを電源部７０に送信したりする。
【００５７】
制御装置６０は、青空を映し出す制御コマンド、白雲を映し出す制御コマンド、曇り空を映し出す制御コマンド、夕焼け空を映し出す制御コマンド等を図示しない記憶部から読み出し、制御コマンドに応じた照明シーンを再現（映像を再生）する。なお、制御装置６０は、所定地域の現在時刻に応じた、青空、白雲、曇り空、夕焼け空、宵の空等の様々な空の様子を再現してもよい。
【００５８】
電源部７０は、発光モジュール２０に電力を供給する電源回路が内蔵されたモジュールである。電源部７０は、商用電源から供給される交流電力を、整流、平滑及び降圧等して所定レベルの直流電力に変換し、当該直流電力を発光モジュール２０に供給する。
【００５９】
［作用効果］
次に、本実施の形態における照明装置１の作用効果について説明する。
【００６０】
上述したように、本実施の形態に係る照明装置１は、天空を模した光を発する照明装置１であって、基板２２と、基板２２に二次元状に配列される複数の発光素子２３とを有する発光モジュール２０と、発光モジュール２０を収容し、複数の発光素子２３が発する光が通過する開口部３５を有する光反射部材３０とを備える。また、光反射部材３０は、発光モジュール２０の周囲を囲み、基板２２に対して立ち上るように配置され、複数の発光素子２３の虚像が映し出される側壁部３１を有する。また、側壁部３１には、基板２２に対して略平行な方向に配列される複数の第２貫通孔３２が形成される。そして、複数の第２貫通孔３２の配列は、発光モジュール２０から遠ざかる方向に複数配列される。
【００６１】
これによれば、発光モジュール２０は発光するため、発光モジュール２０を収容する光反射部材３０の内部は、温度が上昇し易い環境にある。しかし、光反射部材３０には複数の第２貫通孔３２が形成されているため、光反射部材３０の内部で温度が上昇しても、内部の空気が複数の第２貫通孔３２を介して外部に逃げる。このため、光反射部材３０の内部の温度上昇を抑制することができる。
【００６２】
また、側壁部３１には、複数の発光素子２３の虚像が映し出されるため、照明装置１を見た場合に、複数の発光素子２３の並びが続いているように見える。このため、照明装置１が天空を模した光を発した場合、側壁部３１に自然な広がりを映し出すことができるため、青空が続いているように見える。
【００６３】
したがって、この照明装置１では、窓を通して天空を見るような自然な感覚を与えることができ、かつ、放熱性に優れる。
【００６４】
また、本実施の形態に係る照明装置１において、側壁部３１には、配列ごとに、複数の第２貫通孔３２が略等間隔に形成される。そして、複数の発光素子２３は、基板２２に略等間隔に配列される。
【００６５】
これによれば、複数の第２貫通孔３２及び複数の発光素子２３をそれぞれ等間隔に配列することで、所定の方向から照明装置１を見た場合に、側壁部３１に映り込む複数の発光素子２３と、複数の第２貫通孔３２とが重ならない。このため、照明装置１の見栄えの悪化を抑制することができるため、照明装置１が天空を模した光を発した場合でも、照明装置１の美観を確保することができる。
【００６６】
また、本実施の形態に係る照明装置１において、略平行な方向における互いに隣り合う２つの第２貫通孔３２の第１間隔は、発光モジュール２０から遠ざかる方向に向かって大きくなる。
【００６７】
これらによれば、ユーザが点灯している照明装置１を見た場合に、発光モジュール２０に近い側は、照明装置１において奥側にある、つまり、ユーザから離れた側にある。このため、発光モジュール２０に近い側は、第２貫通孔３２が多く形成されていても（形成されている第２貫通孔３２の数の密度が高くても）、第２貫通孔３２を視認し難い。一方、ユーザに近い側は、第２貫通孔３２が少なく形成されているため（形成されている第２貫通孔３２の数の密度が低いため）、第２貫通孔３２を視認し難い。このように、この照明装置１では、第２貫通孔３２を目立たなくすることができるため、点灯時及び消灯時における照明装置１の見栄えが損なわれ難い。
【００６８】
さらに、発光モジュール２０に近い側では、側壁部３１に第２貫通孔３２が多く形成されているため、発光モジュール２０に生じた熱が照明装置１の外部に逃げ易くなる。このため、照明装置１内部の温度上昇を抑制することができる。
【００６９】
また、通常、照明装置では、発光モジュールに近いほど側壁部から反射する光の量は多くなり、発光モジュールから離れるほど側壁部から反射する光の量は少なくなる。しかしながら、この照明装置１では、発光モジュール２０に近い側では、第２貫通孔３２が多く形成されているため、発光モジュール２０に近い側における側壁部３１が反射する光の量を減らすことができる。このため、照明装置１は、斑が抑制された光（略均一化された光）を出射することができる。
【００７０】
また、本実施の形態に係る照明装置１において、複数の第２貫通孔３２によって構成される複数の配列は、互いに隣り合う２つの配列の第２間隔が発光モジュール２０から遠ざかる方向に向かって大きくなる。
【００７１】
この場合においても、前述の作用効果と同様の作用効果を奏する。
【００７２】
また、本実施の形態に係る照明装置１において、略平行な方向における互いに隣り合う２つの第２貫通孔３２の第１間隔は、複数の配列に含まれる基準列に対して、整数倍ごとに大きくなる。
【００７３】
これによれば、発光モジュール２０から遠ざかるほど互いに隣り合う２つの第２貫通孔３２の第１間隔が規則的に大きくなる。例えばユーザが照明装置１の斜め下から照明装置１を見上げた場合、側壁部３１に映る複数の発光素子２３の見栄えを調節することができる。このため、照明装置１では、室内から窓を通して天空を見るような感覚をユーザに疑似体験させ易くなる。また、この場合においても、前述の作用効果と同様の作用効果を奏する。
【００７４】
また、本実施の形態に係る照明装置１において、複数の第２貫通孔３２によって構成される複数の配列には、互いに隣り合う第１列と第２列とが含まれる。そして、第２列は、略平行な方向に互いに隣り合う２つの発光素子２３の第２間隔の略２分の１、第１列に対して、略平行な方向にズレる。
【００７５】
例えば、第１列と第２列とによって複数の第２貫通孔が格子状に配列されており、かつ、複数の発光素子も格子状に配列されていれば、照明装置の斜め下から照明装置を見上げる角度によっては、側壁部に映る複数の発光素子と第１列及び第２列を構成する全ての第２貫通孔とが重なり、複数の発光素子が側壁部に映らなくなってしまうことがある。このため、ユーザが斜め上の照明装置を見上げた場合、ユーザは、側壁部に天空が続くような奥行き感を覚えない。このため、室内から窓を通して天空を見るような感覚を、ユーザに疑似体験させることができ難くなる。
【００７６】
しかし、この照明装置１では、第２列の複数の第２貫通孔３２は、第１列の複数の第２貫通孔３２に対してズレているため、側壁部３１に映る複数の発光素子２３と第１列及び第２列を構成する全ての第２貫通孔３２とが重なり難くなる。複数の発光素子２３が側壁部３１に映るため、例えばユーザが照明装置１の斜め下から照明装置１を見上げた場合に、室内から窓を通して天空を見るような感覚をユーザに疑似体験させることができる。
【００７７】
また、本実施の形態に係る照明装置１において、第１列は、複数の配列のうち発光モジュール２０に最も近い位置に形成される。そして、第１列における互いに隣り合う２つの第２貫通孔３２の第１間隔は、第２列における互いに隣り合う２つの第２貫通孔３２の第１間隔と略同一である。
【００７８】
発光モジュールに近い側壁部の部分には発光素子が映り込みやすいが、第１列の第１間隔と第２列の第１間隔とが異なれば、複数の発光素子の一部が側壁部に映り込まないことがあり、模擬した天空が途中で途切れた状態で見えてしまう。この場合、室内から窓を通して天空を見るような感覚を、ユーザに疑似体験させることができ難くなる。
【００７９】
しかし、この照明装置１では、第１列及び第２列における互いに隣り合う２つの第２貫通孔３２の第１間隔を略同一にすることで、側壁部３１の近くに配置される複数の発光素子２３の一部が側壁部３１に映り込まないといった、点灯時及び消灯時における照明装置１の美観を確保することができる。
【００８０】
また、本実施の形態に係る照明装置１において、略平行な方向における互いに隣り合う２つの発光素子２３の第２間隔は、第１列における互いに隣り合う２つの第２貫通孔３２の第１間隔と略同一である。
【００８１】
これによれば、側壁部３１の近くに配置される複数の発光素子２３の一部が側壁部３１に映り込まないことによる、ユーザに与える違和感を抑制することができる。このため、点灯時及び消灯時における照明装置１の美観を確保することができる。
【００８２】
また、本実施の形態に係る照明装置１において、複数の第２貫通孔３２のそれぞれの開口径は、略平行な方向において互いに隣り合う２つの発光素子２３の第２間隔の略２分の１以下である。
【００８３】
これによれば、複数の第２貫通孔３２の開口径を小さくすることで、複数の第２貫通孔３２を視認し難くできる。また、開口径が小さければ、側壁部３１に映り込む複数の発光素子２３が複数の第２貫通孔３２と重なり難くなる。このため、点灯時及び消灯時における照明装置１の美観を確保することができる。
【００８４】
また、本実施の形態に係る照明装置１において、開口部３５とは反対側の側壁部３１の端縁は、複数の発光素子２３の発光面を基準にして、互いに隣り合う２つの発光素子２３の第２間隔の略２分の１以上の高さである。
【００８５】
これによれば、側壁部３１の端縁は、発光モジュール２０の裏側、つまり、発光素子２３を基板２２に実装している実装面とは反対側の面よりもＺ軸プラス方向に飛び出ている。このため、側壁部３１と基板２２との境界部分が影になり難く、照明装置１の美観を確保することができる。
【００８６】
また、本実施の形態に係る照明装置１において、基板２２の端縁に配列される発光素子２３と側壁部３１との距離は、互いに隣り合う２つの発光素子２３の第２間隔の略２分の１である。
【００８７】
これによれば、基板２２の端縁に配列される発光素子２３を側壁部３１に映し出すことができるため、側壁部３１と発光モジュール２０との境界部分において、発光素子２３が途切れて見え難い。このため、照明装置１を見た場合に、複数の発光素子２３の並びが続いているように見える。これにより、照明装置１が天空を模した光を発した場合、側壁部３１に自然な広がりを映し出すことができるため、青空が続いているように見える。その結果、室内から窓を通して天空を見るような感覚をユーザに疑似体験させることができる。
【００８８】
また、本実施の形態に係る照明装置１は、さらに、透光性及び光拡散性を有し、開口部３５を覆うように配置される光拡散板４０を備える。
【００８９】
これによれば、発光モジュール２０から発された光を拡散して出射するため、天空を模した光を擬似的に再現することができる。
【００９０】
また、光拡散板４０が開口部３５を覆うことで、側壁部３１の第２貫通孔３２を視認し難くしている。このため、照明装置１の美観を確保することができる。
【００９１】
また、本実施の形態に係る照明装置１は、造営材に取り付けられる。そして、光拡散板４０は、造営材の設置面と面一となる位置、又は、面一となる位置よりも奥側に配置される。
【００９２】
これによれば、側壁部３１を真横から視認することができないため、複数の第２貫通孔３２を目立たなくすることができる。このため、照明装置１の美観を確保することができる。
【００９３】
（その他変形例）
以上、本開示に係る照明装置について、実施の形態に基づいて説明したが、本開示は、上記の各実施の形態に限定されるものではない。
【００９４】
例えば、上記の各実施の形態において、照明装置は、床に設置されていてもよく、設置場所は限定されない。
【００９５】
また、上記の各実施の形態において、第２列が基準列とされているが、第１列を基準列としてもよく、第３列以降を基準列としてもよい。例えば、第１列を基準列とした場合、第２列以降の第１間隔が、第１列の第１間隔に対して整数倍ごとに大きくなる。つまり、第１列の第１間隔と第２列の第１間隔とが略同一でなくてもよい。
【００９６】
また、上記の各実施の形態において、筐体にも、貫通孔が形成されていてもよい。筐体に形成される貫通孔は、光反射部材に形成される貫通孔と対応する位置に形成されていてもよく、単に所定の規則に従って形成されていてもよい。筐体に形成される貫通孔の形状は円形、方形等でもよく、形状は特に限定されない。貫通孔の代わりに筐体の一部を切り欠いた切欠き上のスリットであってもよい。
【００９７】
また、上記の各実施の形態において、図７に示すように、光反射部材３０の外周面と筐体１０の内周面との間には、電源部７０を配置することが可能な程度の隙間が設けられてもよい。図７は、変化例に係る照明装置１ａの外観を例示する斜視図である。なお、図７では、筐体１０の第１貫通孔１１を省略して図示している。電源部７０は、上述の光反射部材３０の外周面と筐体１０の内周面との間である、光反射部材３０の外周側面に設けられてもよい。なお、上述のように電源部７０は発光モジュール２０の背面に配置されてもよく、電源部７０の配置位置は特に限定されない。
【００９８】
また、上記の各実施の形態において、制御装置は、上述の光反射部材の外周面と筐体の内周面との間である、光反射部材の外周側面に設けられてもよい。なお、上述のように、制御装置は発光モジュールの背面に配置されてもよく、制御装置の配置位置は特に限定されない。
【００９９】
なお、上記の各実施の形態に対して当業者が思い付く各種変形を施して得られる形態や、本開示の趣旨を逸脱しない範囲で各実施の形態における構成要素及び機能を任意に組み合わせることで実現される形態も本開示に含まれる。
【符号の説明】
【０１００】
１、１ａ  照明装置
２０  発光モジュール
２２  基板
２３  発光素子
３０  光反射部材（ケース）
３１  側壁部
３２  貫通孔
３５  開口部
４０  光拡散板（拡散カバー）
【図１】
2020115429.tif 000003
【図２】
2020115429.tif 000004
【図３】
2020115429.tif 000005
【図４】
2020115429.tif 000006
【図５】
2020115429.tif 000007
【図６】
2020115429.tif 000008
【図７】
2020115429.tif 000009